(57)【要約】【課題】空気調和装置と外気処理装置とを備えた空調システムにおいて、空気調和装置が冷房運転を行うと同時に外気処理装置が加湿運転を行う場合であっても、室内空気の湿度を確実に上昇させる。【解決手段】空調システム（10）は、外気処理機（50）と空調機（20）を備える。加湿運転中の外気処理機（50）において、調湿ユニット（52a）は、外気ダクト（11）から吸い込んだ室外空気を加湿してから給気ダクト（13）へ吹き出す一方、第１内気ダクト（12a）から吸い込んだ室内空気を除湿してから接続ダクト（14）へ送り出す。冷房運転中の空調機（20）において、室内ユニット（22a）は、調湿ユニット（52a）において除湿された室内空気の一部を吸込ダクト（16）から吸い込み、吸い込んだ除湿後の室内空気を冷却してから吹出ダクト（17）へ送り出す。【選択図】図４
2010127522.tif 000002
【特許請求の範囲】
【請求項１】
取り込んだ室内空気を冷却してから室内へ供給する冷房運転を少なくとも行う空気調和装置（20）と、
吸着剤と接触させることによって除湿した室内空気を室外へ排出し、且つ室内空気中の水分を吸着した吸着剤から脱離させた水分を付与することによって加湿した室外空気を室内へ供給する加湿運転を少なくとも行う外気処理装置（50）とを備える空調システムであって、
上記空気調和装置（20）が冷房運転を行っていて且つ上記外気処理装置（50）が加湿運転を行っている加湿冷房運転中には、上記外気処理装置（50）において除湿された室内空気の一部が上記空気調和装置（20）へ供給されて残りが室外へ排出されると共に、上記空気調和装置（20）が上記外気処理装置（50）から供給された室内空気を冷却してから室内へ供給するように構成されている
ことを特徴とする空調システム。
【請求項２】
請求項１において、
加湿冷房運転中には、上記外気処理装置（50）を通過後に室外へ排出される室内空気の流量が上記外気処理装置（50）を通過する室外空気の流量と等しくなり、且つ上記外気処理装置（50）を通過する室内空気の流量が上記外気処理装置（50）を通過する室外空気の流量よりも多くなっている
ことを特徴とする空調システム。
【請求項３】
請求項１又は２において、
上記空気調和装置（20）は、冷媒を循環させて冷凍サイクルを行う冷媒回路（30）を備え、冷房運転中には室内空気を該冷媒回路（30）の冷媒と熱交換させることによって冷却するように構成される一方、
加湿冷房運転中に、上記外気処理装置（50）において除湿された室内空気の露点温度が上記空気調和装置（20）の冷媒回路（30）における冷媒の蒸発温度よりも低くなるように、上記外気処理装置（50）の運転を制御する制御手段（90）を備えている
ことを特徴とする空調システム。
【請求項４】
請求項１又は２において、
上記空気調和装置（20）は、冷媒を循環させて冷凍サイクルを行う冷媒回路（30）を備え、冷房運転中には室内空気を該冷媒回路（30）の冷媒と熱交換させることによって冷却するように構成される一方、
加湿冷房運転中に、上記空気調和装置（20）の冷媒回路（30）における冷媒の蒸発温度が上記外気処理装置（50）において除湿された室内空気の露点温度よりも高くなるように、上記空気調和装置（20）の運転を制御する制御手段（90）を備えている
ことを特徴とする空調システム。
【発明の詳細な説明】
【技術分野】
【０００１】
本発明は、室内空気の温度を調節する空気調和装置と、室内へ供給される室外空気の温度と湿度を調節する外気処理装置とを備えた空調システムに関するものである。
【背景技術】
【０００２】
従来より、空気調和装置と外気処理装置とを備えた空調システムが知られている。例えば、特許文献１には、冷凍サイクルを行う冷媒回路が設けられた空気調和装置と、デシカントロータを用いて空気の湿度を調節する外気処理装置とを備える空調システムが開示されている。また、特許文献２や特許文献３には、空気熱交換器の表面に担持された吸着剤を冷媒で加熱し又は冷却することによって空気の湿度を調節する外気処理装置と、冷凍サイクルを行う冷媒回路が設けられた空気調和装置とを備える空調システムが開示されている。この種の空調システムにおいて、空気調和装置は、取り込んだ室内空気の温度を調節し、温度を調節した室内空気を室内へ供給する。また、外気処理装置は、取り込んだ室外空気の温度と湿度を調節し、温度と湿度を調節した室外空気を室内へ供給する。
【特許文献１】特開平０９−３１８１２６号公報
【特許文献２】特開２００５−２９１５８５号公報
【特許文献３】特開２００６−３２９４７１号公報
【発明の開示】
【発明が解決しようとする課題】
【０００３】
ところで、特許文献２や特許文献３に開示された空調システムの外気処理装置は、取り込んだ室外空気を加湿して室内へ供給する加湿運転を実行できる。従って、この空調システムでは、空気調和装置が冷房運転を行うと同時に外気処理装置が加湿運転を行う場合も有り得る。特に、近年のオフィスビルでは、オフィス内にパソコン等の発熱源となるＯＡ機器が多数設置されており、外気が乾燥している冬季にも室内の冷房が必要となる場合がある。
【０００４】
ところが、冷房運転中の空気調和装置では、室内空気の冷却が行われるため、室内空気を冷却する過程で室内空気に含まれる水蒸気が凝縮し、生成した凝縮水がドレン水として室外へ排出されてしまう。このため、外気処理装置が加湿運転を行っている状態で空気調和装置が冷房運転を行うと、外気処理装置によって空気に付与された水分が空気調和装置において空気から取り除かれてしまい、室内空気の湿度を充分に上昇させることができないおそれがあった。
【０００５】
本発明は、かかる点に鑑みてなされたものであり、その目的は、空気調和装置と外気処理装置とを備えた空調システムにおいて、空気調和装置が冷房運転を行うと同時に外気処理装置が加湿運転を行う場合であっても、室内空気の湿度を確実に上昇させることにある。
【課題を解決するための手段】
【０００６】
第１の発明は、取り込んだ室内空気を冷却してから室内へ供給する冷房運転を少なくとも行う空気調和装置（20）と、吸着剤と接触させることによって除湿した室内空気を室外へ排出し、且つ室内空気中の水分を吸着した吸着剤から脱離させた水分を付与することによって加湿した室外空気を室内へ供給する加湿運転を少なくとも行う外気処理装置（50）とを備える空調システムを対象とする。そして、上記空気調和装置（20）が冷房運転を行っていて且つ上記外気処理装置（50）が加湿運転を行っている加湿冷房運転中には、上記外気処理装置（50）において除湿された室内空気の一部が上記空気調和装置（20）へ供給されて残りが室外へ排出されると共に、上記空気調和装置（20）が上記外気処理装置（50）から供給された室内空気を冷却してから室内へ供給するように構成されるものである。
【０００７】
第１の発明の空調システム（10）は、加湿冷房運転を実行可能となっている。加湿冷房運転中の空調システム（10）では、空気調和装置（20）が冷房運転を行い、外気処理装置（50）が加湿運転を行う。冷房運転中の空気調和装置（20）は、取り込んだ室内空気を冷却し、冷却した室内空気を室内へ供給する。加湿運転中の外気処理装置（50）は、室内空気と室外空気を取り込む。そして、外気処理装置（50）は、取り込んだ室内空気中の水分を吸着剤に吸着させる一方、吸着剤から脱離させた水分を室外空気に付与し、加湿された室外空気を室内へ供給する。空調システム（10）の加湿冷房運転中において、水分を奪われた後に外気処理装置（50）から排出された室内空気は、その一部が空気調和装置（20）へ供給され、残りが室外へ排出される。そして、空気調和装置（20）は、外気処理装置（50）において除湿された室内空気を冷却してから室内へ供給する。
【０００８】
第１の発明の空調システム（10）において、その加湿冷房運転中に空気調和装置（20）が冷却する空気は、外気処理装置（50）において予め除湿されているため、その露点温度が室内空間に存在する空気よりも低くなる。従って、加湿冷房運転中の空調システム（10）では、室内空間に存在する空気をそのまま空気調和装置（20）へ供給する場合に比べ、空気調和装置（20）において空気を冷却する際に生成する凝縮水の量が減少する。また、加湿運転中の外気処理装置（50）において、吸着剤が吸着した室内空気中の水分は、室外空気に付与されて室内へ送り返される。
【０００９】
第２の発明は、上記第１の発明において、加湿冷房運転中には、上記外気処理装置（50）を通過後に室外へ排出される室内空気の流量が上記外気処理装置（50）を通過する室外空気の流量と等しくなり、且つ上記外気処理装置（50）を通過する室内空気の流量が上記外気処理装置（50）を通過する室外空気の流量よりも多くなっているものである。
【００１０】
第２の発明の空調システム（10）では、その加湿冷房運転中において、外気処理装置（50）を通過後に室外へ排出される室内空気の流量が、外気処理装置（50）を通過する室外空気の流量と等しくなる。つまり、外気処理装置（50）を通って室外から室内へ供給される空気の流量と、外気処理装置（50）を通って室内から室外へ排出される空気の流量とが、同じ値となる。また、この空調システム（10）では、その加湿冷房運転中において、外気処理装置（50）を通過する室内空気の流量が、外気処理装置（50）を通過する室外空気の流量よりも多くなる。そして、空調システム（10）の加湿冷房運転中に外気処理装置（50）から空気調和装置（20）へ供給される空気の流量は、「外気処理装置（50）を通過する室内空気の流量」から「外気処理装置（50）を通過後に室外へ排出される室内空気の流量」を差し引いた値となる。
【００１１】
第３の発明は、上記第１又は第２の発明において、上記空気調和装置（20）は、冷媒を循環させて冷凍サイクルを行う冷媒回路（30）を備え、冷房運転中には室内空気を該冷媒回路（30）の冷媒と熱交換させることによって冷却するように構成される一方、加湿冷房運転中に、上記外気処理装置（50）において除湿された室内空気の露点温度が上記空気調和装置（20）の冷媒回路（30）における冷媒の蒸発温度よりも低くなるように、上記外気処理装置（50）の運転を制御する制御手段（90）を備えるものである。
【００１２】
第３の発明では、空気調和装置（20）には冷媒回路（30）が設けられる。冷房運転中の空気調和装置（20）では、冷媒回路（30）の冷媒が室内空気から吸熱して蒸発する。空調システム（10）に設けられた制御手段（90）は、加湿冷房運転中に外気処理装置（50）の運転を制御する。その際、制御手段（90）は、「外気処理装置（50）において除湿された室内空気の露点温度」が「空気調和装置（20）の冷媒回路（30）における冷媒の蒸発温度」よりも低くなるように、外気処理装置（50）の運転を制御する。空調システム（10）の加湿冷房運転中には、外気処理装置（50）において除湿された空気が冷房運転中の空気調和装置（20）へ送られる。このため、外気処理装置（50）において除湿された室内空気の露点温度が空気調和装置（20）の冷媒回路（30）における冷媒の蒸発温度よりも低い状態では、冷房運転中の空気調和装置（20）において冷却された後の室内空気の温度がその露点温度よりも高い値に保たれるため、その室内空気中の水分が凝縮することはない。
【００１３】
第４の発明は、上記第１又は第２の発明において、上記空気調和装置（20）は、冷媒を循環させて冷凍サイクルを行う冷媒回路（30）を備え、冷房運転中には室内空気を該冷媒回路（30）の冷媒と熱交換させることによって冷却するように構成される一方、加湿冷房運転中に、上記空気調和装置（20）の冷媒回路（30）における冷媒の蒸発温度が上記外気処理装置（50）において除湿された室内空気の露点温度よりも高くなるように、上記空気調和装置（20）の運転を制御する制御手段（90）を備えるものである。
【００１４】
第４の発明において、空気調和装置（20）には冷媒回路（30）が設けられる。冷房運転中の空気調和装置（20）では、冷媒回路（30）の冷媒が室内空気から吸熱して蒸発する。空調システム（10）に設けられた制御手段（90）は、加湿冷房運転中に空気調和装置（20）の運転を制御する。その際、制御手段（90）は、空気調和装置（20）の冷媒回路（30）における冷媒の蒸発温度が外気処理装置（50）において除湿された室内空気の露点温度よりも高くなるように、空気調和装置（20）の運転を制御する。空調システム（10）の加湿冷房運転中には、外気処理装置（50）において除湿された空気が冷房運転中の空気調和装置（20）へ送られる。このため、冷媒回路（30）における冷媒の蒸発温度が外気処理装置（50）よって除湿された室内空気の露点温度よりも高い状態では、冷房運転中の空気調和装置（20）において冷却された後の室内空気の温度がその露点温度よりも高い値に保たれるため、その室内空気中の水分が凝縮することはない。
【発明の効果】
【００１５】
本発明の空調システム（10）では、その加湿冷房運転中において、外気処理装置（50）において除湿された室内空気の一部が空気調和装置（20）へ送られ、空気調和装置（20）は、外気処理装置（50）から供給された除湿後の空気を冷却して室内へ供給する。このため、本発明の空調システム（10）では、その加湿冷房運転中において、空気調和装置（20）において空気を冷却する際に生成する凝縮水の量を、室内空間に存在する空気をそのまま空気調和装置（20）へ供給する場合に比べて削減できる。また、加湿運転中の外気処理装置（50）において、吸着剤が吸着した室内空気中の水分は、室外空気に付与されて室内へ送り返される。
【００１６】
このように、加湿冷房運転中の本発明の空調システム（10）では、空気調和装置（20）において室内空気からドレン水として取り除かれる水分の量が減少すると共に、外気処理装置（50）において室内空気から取り除かれた水分が室外空気と共に室内へ送り返される。従って、本発明によれば、空調システム（10）の加湿冷房運転中において、冷房運転中の空気調和装置（20）において室内空気から取り除かれる水分の量を削減することができ、室内空間に存在する空気の湿度を充分に上昇させることが可能となる。
【００１７】
上記第２の発明によれば、空調システム（10）の加湿冷房運転中において、外気処理装置（50）において除湿された室内空気の一部を空気調和装置（20）へ供給しつつ、外気処理装置（50）を通って室外から室内へ供給される空気の流量と、外気処理装置（50）を通って室内から室外へ排出される空気の流量とを一致させることができる。従って、この発明によれば、空調システム（10）の加湿冷房運転中に外気処理装置（50）において除湿された室内空気の一部を空気調和装置（20）へ供給しつつ、室内への給気量と室内からの排気量とを一致させて室内の気圧を実質的に大気圧に保つことができる。
【００１８】
上記第３の発明では、空調システム（10）の加湿冷房運転中において、制御手段（90）が、「外気処理装置（50）において除湿された室内空気の露点温度」が「空気調和装置（20）の冷媒回路（30）における冷媒の蒸発温度」よりも低くなるように外気処理装置（50）の運転を制御する。また、上記第４の発明では、空調システム（10）の加湿冷房運転中において、制御手段（90）が、冷媒回路（30）における冷媒の蒸発温度が外気処理装置（50）よって除湿された室内空気の露点温度よりも高くなるように空気調和装置（20）の運転を制御する。このため、これら第３及び第４の各発明によれば、空調システム（10）の加湿冷房運転中に冷房運転を行う空気調和装置（20）において、外気処理装置（50）から供給された室内空気を冷却する際に室内空気中の水分が凝縮するのを防ぐことができる。
【発明を実施するための最良の形態】
【００１９】
以下、本発明の実施形態を図面に基づいて詳細に説明する。本実施形態の空調システム（10）は、空気調和装置である空調機（20）と、外気処理装置である外気処理機（50）とを備えている。また、この空調システム（10）では、空調機（20）に設けられた空調側コントローラ（91）と、外気処理機（50）に設けられた調湿側コントローラ（92a,92b）とが、制御手段である制御システム（90）を構成している。
【００２０】
〈空調機の構成〉
空調システム（10）を構成する空調機（20）は、一台の室外ユニット（21）と、四台の室内ユニット（22a,22b,22c,22d）とを備えている。この空調機（20）では、室外ユニット（21）と各室内ユニット（22a〜22d）を配管で接続することによって、第１冷媒回路である空調用冷媒回路（30）が形成されている。なお、室外ユニット（21）及び室内ユニット（22a〜22d）の台数は、単なる例示である。
【００２１】
室外ユニット（21）には、室外回路（40）と室外ファン（23）とが収容されている。室外回路（40）には、空調用圧縮機（41）と、アキュームレータ（42）と、四方切換弁（43）と、室外熱交換器（44）と、室外膨張弁（45）と、レシーバ（46）と、液側閉鎖弁（47）と、ガス側閉鎖弁（48）とが設けられている。
【００２２】
室外回路（40）において、空調用圧縮機（41）は、その吐出側が四方切換弁（43）の第１のポートに接続され、その吸入側がアキュームレータ（42）を介して四方切換弁（43）の第２のポートに接続されている。四方切換弁（43）の第３のポートは、室外熱交換器（44）のガス側端に接続されている。室外熱交換器（44）の液側端は、室外膨張弁（45）の一端に接続されている。室外膨張弁（45）の他端は、レシーバ（46）を介して液側閉鎖弁（47）に接続されている。四方切換弁（43）の第４のポートは、ガス側閉鎖弁（48）に接続されている。
【００２３】
室外回路（40）には、高圧センサ（26）と低圧センサ（27）とが設けられている。高圧センサ（26）は、空調用圧縮機（41）の吐出側と四方切換弁（43）を繋ぐ配管に接続され、空調用圧縮機（41）から吐出された高圧冷媒の圧力を計測する。低圧センサ（27）は、アキュームレータ（42）と四方切換弁（43）を繋ぐ配管に接続され、空調用圧縮機（41）へ吸入される低圧冷媒の圧力を計測する。
【００２４】
空調用圧縮機（41）は、いわゆる全密閉型の圧縮機である。空調用圧縮機（41）の電動機には、図外のインバータを介して電力が供給される。インバータから電動機へ供給される交流の周波数（即ち、空調用圧縮機（41）の運転周波数）を変化させると、電動機の回転速度が変化し、その結果、空調用圧縮機（41）の運転容量が変化する。
【００２５】
室外熱交換器（44）は、室外ファン（23）によって供給された室外空気を冷媒と熱交換させるフィン・アンド・チューブ型の熱交換器である。四方切換弁（43）は、第１のポートが第３のポートに連通し且つ第２のポートが第４のポートに連通する第１状態（図１に実線で示す状態）と、第１のポートが第４のポートに連通し且つ第２のポートが第３のポートに連通する第２状態（図１に破線で示す状態）とに切り換わる。
【００２６】
各室内ユニット（22a〜22d）には、室内回路（35a,35b,35c,35d）が一つずつ収容されている。また、各室内ユニット（22a〜22d）には、室内ファン（24a,24b,24c,24d）と、室内温度センサ（25a,25b,25c,25d）とが一つずつ設けられている。
【００２７】
各室内回路（35a〜35d）には、室内熱交換器（36a,36b,36c,36d）と、室内膨張弁（37a,37b,37c,37d）とが一つずつ設けられている。室内熱交換器（36a〜36d）は、室内ファン（24a〜24d）によって供給された室内空気を冷媒と熱交換させるフィン・アンド・チューブ型の熱交換器である。
【００２８】
各室内回路（35a〜35d）において、室内熱交換器（36a〜36d）は、その一端が室内回路（35a〜35d）のガス側端に接続され、その他端が室内膨張弁（37a〜37d）を介して室内回路（35a〜35d）の液側端に接続されている。各室内回路（35a〜35d）は、それぞれの液側端が液側連絡配管（31）を介して室外回路（40）の液側閉鎖弁（47）に接続され、それぞれのガス側端がガス側連絡配管（32）を介して室外回路（40）のガス側閉鎖弁（48）に接続されている。
【００２９】
図示しないが、各室内ユニット（22a〜22d）には、空気の吸込口と吹出口が形成されている。各室内ユニット（22a〜22d）は、それぞれに形成された吸込口及び吹出口の全てが同一の室内空間に連通するように設置されている。つまり、各室内ユニット（22a〜22d）は、同一の室内空間から室内空気を吸い込み、室内熱交換器（36a〜36d）を通過した室内空気を同一の室内空間へ吹き出す。
【００３０】
〈外気処理機の構成〉
空調システム（10）を構成する外気処理機（50）は、一台の圧縮機ユニット（51）と、二台の調湿ユニット（52a,52b）とを備えている。この外気処理機（50）では、圧縮機ユニット（51）と各調湿ユニット（52a,52b）を配管で接続することによって、第２冷媒回路である調湿用冷媒回路（60）が形成されている。なお、圧縮機ユニット（51）及び調湿ユニットの台数は、単なる例示である。
【００３１】
圧縮機ユニット（51）には、圧縮機側回路（70）が収容されている。圧縮機側回路（70）には、調湿用圧縮機（71）と、アキュームレータ（72）と、高圧側閉鎖弁（73）と、低圧側閉鎖弁（74）とが設けられている。圧縮機側回路（70）において、調湿用圧縮機（71）は、その吐出側が高圧側閉鎖弁（73）に接続され、この吸入側がアキュームレータ（72）を介して低圧側閉鎖弁（74）に接続されている。
【００３２】
調湿用圧縮機（71）は、いわゆる全密閉型の圧縮機である。調湿用圧縮機（71）の電動機には、図外のインバータを介して電力が供給される。インバータから電動機へ供給される交流の周波数（即ち、調湿用圧縮機（71）の運転周波数）を変化させると、電動機の回転速度が変化し、その結果、調湿用圧縮機（71）の運転容量が変化する。
【００３３】
図２にも示すように、各調湿ユニット（52a,52b）には、調湿用回路（80a,80b）が一つずつ収容されている。各調湿用回路（80a,80b）には、四方切換弁（83a,83b）と、第１吸着熱交換器（81a,81b）と、第２吸着熱交換器（82a,82b）と、調湿用膨張弁（84a,84b）とが一つずつ設けられている。
【００３４】
各調湿用回路（80a,80b）において、四方切換弁（83a,83b）は、その第１のポートが調湿用回路（80a,80b）の高圧側端に接続され、その第２のポートが調湿用回路（80a,80b）の低圧側端に接続されている。また、各調湿用回路（80a,80b）では、四方切換弁（83a,83b）の第３のポートから第４のポートに向かって順に、第１吸着熱交換器（81a,81b）と、調湿用膨張弁（84a,84b）と、第２吸着熱交換器（82a,82b）とが配置されている。各調湿用回路（80a,80b）は、それぞれの高圧側端が高圧側連絡配管（61）を介して圧縮機側回路（70）の高圧側閉鎖弁（73）に接続され、それぞれの低圧側端が低圧側連絡配管（62）を介して圧縮機側回路（70）の低圧側閉鎖弁（74）に接続されている。
【００３５】
第１吸着熱交換器（81a,81b）と第２吸着熱交換器（82a,82b）は、何れもフィン・アンド・チューブ型の熱交換器の表面にゼオライト等の吸着剤を担持させたものである。これら吸着熱交換器（81a,82a,81b,82b）では、その表面に担持された吸着剤が冷媒によって加熱され又は冷却され、そこを通過する空気が吸着剤と接触する。各四方切換弁（83a,83b）は、第１のポートが第３のポートに連通し且つ第２のポートが第４のポートに連通する第１状態（図２(Ａ)に示す状態）と、第１のポートが第４のポートに連通し且つ第２のポートが第３のポートに連通する第２状態（図２(Ｂ)に示す状態）とに切り換わる。
【００３６】
各調湿ユニット（52a,52b）には、給気ファン（53a,53b）と排気ファン（54a,54b）とが収容されている。また、各調湿ユニット（52a,52b）には、空気通路が形成されている。各調湿ユニット（52a,52b）では、図外のダンパを開閉することによって、空気の流通経路が切り換え可能となっている。そして、各調湿ユニット（52a,52b）は、室内空気と室外空気を吸い込むと共に、吸着熱交換器（81a,82a,81b,82b）を通過した室内空気を室外へ排出し、吸着熱交換器（81a,82a,81b,82b）を通過した室外空気を室内へ供給するように構成されている。
【００３７】
具体的に、各調湿ユニット（52a,52b）では、吸着熱交換器（81a,82a,81b,82b）の上流側における空気の流通経路が、室内空気が第１吸着熱交換器（81a,81b）へ送られて室外空気が第２吸着熱交換器（82a,82b）へ送られる状態（図２(Ａ)に示す状態）と、室内空気が第２吸着熱交換器（82a,82b）へ送られて室外空気が第１吸着熱交換器（81a,81b）へ送られる状態（図２(Ｂ)に示す状態）とに切り換え可能となっている。また、各調湿ユニット（52a,52b）では、吸着熱交換器（81a,82a,81b,82b）の下流側における空気の流通経路が、第１吸着熱交換器（81a,81b）を通過した空気が排気ファン（54a,54b）へ送られて第２吸着熱交換器（82a,82b）を通過した空気が給気ファン（53a,53b）へ送られる状態（図２(Ａ)に示す状態）と、第１吸着熱交換器（81a,81b）を通過した空気が給気ファン（53a,53b）へ送られて第２吸着熱交換器（82a,82b）を通過した空気が排気ファン（54a,54b）へ送られる状態（図２(Ｂ)に示す状態）とに切り換え可能となっている。
【００３８】
各調湿ユニット（52a,52b）には、室内温度センサ（55a,55b）と、室内湿度センサ（56a,56b）と、室外温度センサ（57a,57b）と、室外湿度センサ（58a,58b）とが設けられている。これらのセンサ（53a,54,…,53b,54b,…）は、空気の流通経路における吸着熱交換器（81a,82a,81b,82b）の上流側に設置されている。室内温度センサ（55a,55b）は、調湿ユニット（52a,52b）へ吸い込まれた室内空気の温度を計測する。室内湿度センサ（56a,56b）は、調湿ユニット（52a,52b）へ吸い込まれた室内空気の相対湿度を計測する。室外温度センサ（57a,57b）は、調湿ユニット（52a,52b）へ吸い込まれた室外空気の温度を計測する。室外湿度センサ（58a,58b）は、調湿ユニット（52a,52b）へ吸い込まれた室外空気の相対湿度を計測する。
【００３９】
図示しないが、各調湿ユニット（52a,52b）には、室内空気の吸込口及び吹出口と、室外空気の吸込口及び吹出口とが形成されている。各調湿ユニット（52a,52b）は、それぞれに形成された室内空気の吸込口及び吹出口の全てが同一の室内空間に連通するように設置されている。つまり、各調湿ユニット（52a,52b）は、同一の室内空間から室内空気を吸い込んで室外へ排出し、取り込んだ室外空気を同一の室内空間へ供給する。
【００４０】
また、各調湿ユニット（52a,52b）に形成された室内空気の吸込口及び吹出口が連通する室内空間は、空調機（20）の各室内ユニット（22a〜22d）の吸込口及び吹出口が連通する室内空間と同一の空間である。つまり、本実施形態の空調システム（10）では、各調湿ユニット（52a,52b）に形成された室内空気の吸込口及び吹出口と、各室内ユニット（22a〜22d）に形成された吸込口及び吹出口とは、何れも共通の室内空間に連通している。
【００４１】
〈制御システムの構成〉
上述したように、空調システム（10）の制御システム（90）は、空調側コントローラ（91）と調湿側コントローラ（92a,92b）とによって構成されている。
【００４２】
空調側コントローラ（91）は、空調機（20）の室外ユニット（21）に収容されている。空調側コントローラ（91）には、低圧センサ（27）や高圧センサ（26）の計測値が入力される。空調側コントローラ（91）は、空調機（20）の運転動作を制御するように構成されている。つまり、空調側コントローラ（91）は、空調用圧縮機（41）の運転制御などを行う。
【００４３】
調湿側コントローラ（92a,92b）は、外気処理機（50）の調湿ユニット（52a,52b）に一つずつ収容されている。第１の調湿ユニット（52a）に設けられた調湿側コントローラ（92a）には、第１の調湿ユニット（52a）に設けられた室内温度センサ（55a）、室内湿度センサ（56a）、室外温度センサ（57a）、及び室外湿度センサ（58a）の計測値が入力される。この調湿側コントローラ（92a）は、第１の調湿ユニット（52a）の運転動作を制御するように構成されている。第２の調湿ユニット（52b）に設けられた調湿側コントローラ（92b）には、第２の調湿ユニット（52b）に設けられた室内温度センサ（55b）、室内湿度センサ（56b）、室外温度センサ（57b）、及び室外湿度センサ（58b）の計測値が入力される。この調湿側コントローラ（92b）は、第２の調湿ユニット（52b）の運転動作を制御するように構成されている。
【００４４】
本実施形態の制御システム（90）は、空調機（20）が冷房運転を行って外気処理機（50）が加湿運転を行う空調システム（10）の加湿冷房運転中において、空調機（20）の室内ユニット（22a〜22d）においてドレン水が生成しないように空調用圧縮機（41）や調湿用圧縮機（71）の容量を調節する動作を行う。この制御システム（90）の制御動作について、その詳細は後述する。
【００４５】
〈空調システムの設置状態〉
ビル等の建物における空調システム（10）の設置状態について説明する。本実施形態の空調システム（10）では、外気処理機（50）の調湿ユニット（52a,52b）や空調機（20）の室内ユニット（22a〜22d）に、各種のダクト（11,12a,12b,…）が接続されている。また、この空調システム（10）には、切換ダンパユニット（18）が設けられている。
【００４６】
図４に示すように、空調機（20）の室内ユニット（22a〜22d）と外気処理機（50）の調湿ユニット（52a,52b）は、建物の躯体（101）と天井パネル（102）に囲まれた天井裏空間（103）に設置されている。なお、図４には、第１の室内ユニット（22a）と第１の調湿ユニット（52a）だけが図示されている。また、図４では図示を省略するが、空調機（20）の室外ユニット（21）と外気処理機（50）の圧縮機ユニット（51）は、建物の屋上などの屋外に設置されている。
【００４７】
外気処理機（50）の調湿ユニット（52a,52b）には、外気ダクト（11）と、第１内気ダクト（12a）と、給気ダクト（13）と、接続ダクト（14）とが接続されている。外気ダクト（11）は、調湿ユニット（52a,52b）へ室外空気を供給するためのダクトであって、その入口端が屋外に開口している。第１内気ダクト（12a）は、調湿ユニット（52a,52b）へ室内空気を供給するためのダクトであって、その入口端が室内空間に開口している。給気ダクト（13）は、調湿ユニット（52a,52b）を通過した室外空気を室内空間へ供給するためのダクトであって、その出口端が室内空間に開口している。接続ダクト（14）は、調湿ユニット（52a,52b）を通過した室内空気が流れるダクトであって、その出口端が切換ダンパユニット（18）に接続されている。切換ダンパユニット（18）については、後述する。
【００４８】
空調機（20）の室内ユニット（22a〜22d）には、吸込ダクト（16）と、吹出ダクト（17）とが接続されている。吸込ダクト（16）は、切換ダンパユニット（18）を通過した空気を室内ユニット（22a〜22d）へ供給するためのダクトであって、その入口端が切換ダンパユニット（18）に接続されている。吹出ダクト（17）は、室内ユニット（22a〜22d）を通過した空気を室内空間へ供給するためのダクトであって、その出口端が室内空間に開口している。
【００４９】
また、空調システム（10）には、排気ダクト（15）と、第２内気ダクト（12b）とが設けれている。排気ダクト（15）は、その入口端が切換ダンパユニット（18）に接続され、その出口端が屋外に開口している。第２内気ダクト（12b）は、その入口端が室内空間に開口し、その出口端が切換ダンパユニット（18）に接続されている。
【００５０】
上述したように、切換ダンパユニット（18）には、接続ダクト（14）の出口端と、吸込ダクト（16）の入口端と、排気ダクト（15）の入口端と、第２内気ダクト（12b）の出口端とが接続されている。この切換ダンパユニット（18）は、接続ダクト（14）を排気ダクト（15）と吸込ダクト（16）の両方に連通させて第２内気ダクト（12b）の出口端を閉塞する加湿冷房用状態（図４に示す状態）と、接続ダクト（14）を排気ダクト（15）だけに連通させ且つ吸込ダクト（16）を第２内気ダクト（12b）だけに連通させる通常状態（図５に示す状態）とに切り換わるように構成されている。
【００５１】
−運転動作−
空調システム（10）の運転動作について説明する。本実施形態の空調システム（10）において、空調機（20）では冷房運転と暖房運転が切り換え可能となり、外気処理機（50）では除湿運転と加湿運転が切り換え可能となっている。この空調システム（10）では、空調機（20）の冷房運転中に外気処理機（50）が除湿運転を行う場合もあれば加湿運転を行う場合も有り得る。また、この空調システム（10）では、空調機（20）の暖房運転中に外気処理機（50）が除湿運転を行う場合もあれば加湿運転を行う場合も有り得る。
【００５２】
〈空調機の運転動作〉
上述したように、空調機（20）では、冷房運転と暖房運転とが切り換え可能となっている。冷房運転中と暖房運転中の何れにおいても、空調機（20）の空調用冷媒回路（30）では、冷媒を循環させることによって蒸気圧縮冷凍サイクルが行われる。
【００５３】
空調機（20）の冷房運転について説明する。冷房運転中の空調用冷媒回路（30）では、四方切換弁（43）が第１状態（図１に実線で示す状態）に設定され、室外膨張弁（45）が全開状態に設定され、各室内膨張弁（37a〜37d）の開度が適宜調節される。また、冷房運転中の空調用冷媒回路（30）では、室外熱交換器（44）が凝縮器として動作し、各室内熱交換器（36a〜36d）が蒸発器として動作する。
【００５４】
冷房運転中の空調用冷媒回路（30）における冷媒の流れを具体的に説明する。空調用圧縮機（41）から吐出された高圧冷媒は、四方切換弁（43）を通過後に室外熱交換器（44）へ流入し、室外空気へ放熱して凝縮する。室外熱交換器（44）から流出した冷媒は、室外膨張弁（45）とレシーバ（46）を通過後に液側連絡配管（31）へ流入し、各室内回路（35a〜35d）へ分配される。各室内回路（35a〜35d）へ流入した冷媒は、室内膨張弁（37a〜37d）を通過する際に減圧されて低圧冷媒となり、その後に室内熱交換器（36a〜36d）へ流入し、室内空気から吸熱して蒸発する。各室内回路（35a〜35d）において室内熱交換器（36a〜36d）から流出した冷媒は、ガス側連絡配管（32）へ流入して合流した後に室外回路（40）へ流入し、四方切換弁（43）を通過後に空調用圧縮機（41）へ吸入されて圧縮される。
【００５５】
上述したように、冷房運転中には、各室内熱交換器（36a〜36d）が蒸発器として動作する。各室内ユニット（22a〜22d）は、吸い込んだ室内空気を室内熱交換器（36a〜36d）において冷却した後に室内へ送り返す。
【００５６】
空調機（20）の暖房運転について説明する。暖房運転中の空調用冷媒回路（30）では、四方切換弁（43）が第２状態（図１に破線で示す状態）に設定され、室外膨張弁（45）及び各室内膨張弁（37a〜37d）の開度が適宜調節される。また、暖房運転中の空調用冷媒回路（30）では、各室内熱交換器（36a〜36d）が凝縮器として動作し、室外熱交換器（44）が蒸発器として動作する。
【００５７】
暖房運転中の空調用冷媒回路（30）における冷媒の流れを具体的に説明する。空調用圧縮機（41）から吐出された冷媒は、四方切換弁（43）を通過後にガス側連絡配管（32）へ流入し、各室内回路（35a〜35d）へ分配される。各室内回路（35a〜35d）へ流入した冷媒は、室内熱交換器（36a〜36d）へ流入し、室内空気へ放熱して凝縮する。各室内回路（35a〜35d）において室内熱交換器（36a〜36d）から流出した冷媒は、室内膨張弁（37a〜37d）を通過後に液側連絡配管（31）へ流入して合流してから室外回路（40）へ流入する。室外回路（40）へ流入した冷媒は、レシーバ（46）を通過後に室外膨張弁（45）へ流入し、室外膨張弁（45）を通過する際に減圧されて低圧冷媒となる。室外膨張弁（45）を通過した冷媒は、室外熱交換器（44）へ流入し、室外空気から吸熱して蒸発する。室外熱交換器（44）から流出した冷媒は、四方切換弁（43）を通過後に空調用圧縮機（41）へ吸入されて圧縮される。
【００５８】
上述したように、暖房運転中には、各室内熱交換器（36a〜36d）が凝縮器として動作する。各室内ユニット（22a〜22d）は、吸い込んだ室内空気を室内熱交換器（36a〜36d）において加熱した後に室内へ送り返す。
【００５９】
〈外気処理機の運転動作〉
上述したように、外気処理機（50）では、除湿運転と加湿運転とが切り換え可能となっている。除湿運転中と加湿運転中の何れにおいても、外気処理機（50）の調湿用冷媒回路（60）では、冷媒を循環させることによって蒸気圧縮冷凍サイクルが行われる。
【００６０】
外気処理機（50）の除湿運転について、図２を参照しながら説明する。除湿運転中において、各調湿ユニット（52a,52b）は、第１動作と第２動作を交互に所定の時間毎（例えば３分間毎）に切り換えて行う。なお、各調湿ユニット（52a,52b）における第１動作と第２動作の相互切り換えのタイミングは、互いに同期している必要はない。
【００６１】
図２(Ａ)に示すように、第１動作中の調湿ユニット（52a,52b）では、四方切換弁（83a,83b）が第１状態に設定され、調湿用膨張弁（84a,84b）の開度が適宜調節される。そして、第１動作中の調湿用回路（80a,80b）では、第１吸着熱交換器（81a,81b）が凝縮器として動作し、第２吸着熱交換器（82a,82b）が蒸発器として動作する。第１吸着熱交換器（81a,81b）では、その表面に担持された吸着剤が冷媒によって加熱される。第２吸着熱交換器（82a,82b）では、その表面に担持された吸着剤が冷媒によって冷却される。
【００６２】
第１動作中の調湿用回路（80a,80b）における冷媒の流れを具体的に説明する。調湿用回路（80a,80b）の高圧側端には、調湿用圧縮機（71）から吐出された高圧冷媒が高圧側連絡配管（61）を通じて供給される。調湿用回路（80a,80b）へ流入した高圧冷媒は、四方切換弁（83a,83b）を通過後に第１吸着熱交換器（81a,81b）へ流入して凝縮する。第１吸着熱交換器（81a,81b）から流出した冷媒は、調湿用膨張弁（84a,84b）を通過する際に減圧されて低圧冷媒となり、その後に第２吸着熱交換器（82a,82b）へ流入して蒸発する。第２吸着熱交換器（82a,82b）から流出した冷媒は、四方切換弁（83a,83b）を通過後に低圧側連絡配管（62）へ流入し、その後に調湿用圧縮機（71）へ吸入されて圧縮される。
【００６３】
また、図２(Ａ)に示すように、第１動作中の調湿ユニット（52a,52b）では、室内空気が第１吸着熱交換器（81a,81b）へ送られ、室外空気が第２吸着熱交換器（82a,82b）へ送られる。第１吸着熱交換器（81a,81b）では、加熱された吸着剤から脱離した水分が室内空気に付与される。第１吸着熱交換器（81a,81b）を通過する際に加湿された室内空気は、排気ファン（54a,54b）に吸い込まれ、その後に室外へ排出される。一方、第２吸着熱交換器（82a,82b）では、室外空気中の水分が吸着剤に吸着され、その際に生じた吸着熱が冷媒に吸熱される。第２吸着熱交換器（82a,82b）を通過する際に除湿された室外空気は、給気ファン（53a,53b）に吸い込まれ、その後に室内へ供給される。
【００６４】
図２(Ｂ)に示すように、第２動作中の調湿ユニット（52a,52b）では、四方切換弁（83a,83b）が第２状態に設定され、調湿用膨張弁（84a,84b）の開度が適宜調節される。そして、第２動作中の調湿用回路（80a,80b）では、第２吸着熱交換器（82a,82b）が凝縮器として動作し、第１吸着熱交換器（81a,81b）が蒸発器として動作する。第２吸着熱交換器（82a,82b）では、その表面に担持された吸着剤が冷媒によって加熱される。第１吸着熱交換器（81a,81b）では、その表面に担持された吸着剤が冷媒によって冷却される。
【００６５】
第２動作中の調湿用回路（80a,80b）における冷媒の流れを具体的に説明する。調湿用回路（80a,80b）の高圧側端には、調湿用圧縮機（71）から吐出された高圧冷媒が高圧側連絡配管（61）を通じて供給される。調湿用回路（80a,80b）へ流入した高圧冷媒は、四方切換弁（83a,83b）を通過後に第２吸着熱交換器（82a,82b）へ流入して凝縮する。第２吸着熱交換器（82a,82b）から流出した冷媒は、調湿用膨張弁（84a,84b）を通過する際に減圧されて低圧冷媒となり、その後に第１吸着熱交換器（81a,81b）へ流入して蒸発する。第１吸着熱交換器（81a,81b）から流出した冷媒は、四方切換弁（83a,83b）を通過後に低圧側連絡配管（62）へ流入し、その後に調湿用圧縮機（71）へ吸入されて圧縮される。
【００６６】
また、図２(Ｂ)に示すように、第２動作中の調湿ユニット（52a,52b）では、室内空気が第２吸着熱交換器（82a,82b）へ送られ、室外空気が第１吸着熱交換器（81a,81b）へ送られる。第２吸着熱交換器（82a,82b）では、加熱された吸着剤から脱離した水分が室内空気に付与される。第２吸着熱交換器（82a,82b）を通過する際に加湿された室内空気は、排気ファン（54a,54b）に吸い込まれ、その後に室外へ排出される。一方、第１吸着熱交換器（81a,81b）では、室外空気中の水分が吸着剤に吸着され、その際に生じた吸着熱が冷媒に吸熱される。第１吸着熱交換器（81a,81b）を通過する際に除湿された室外空気は、給気ファン（53a,53b）に吸い込まれ、その後に室内へ供給される。
【００６７】
外気処理機（50）の加湿運転について、図３を参照しながら説明する。加湿運転中において、各調湿ユニット（52a,52b）は、第１動作と第２動作を交互に所定の時間毎（例えば３分間毎）に切り換えて行う。なお、各調湿ユニット（52a,52b）における第１動作と第２動作の相互切り換えのタイミングは、互いに同期している必要はない。
【００６８】
図３(Ａ)に示すように、第１動作中の調湿ユニット（52a,52b）では、四方切換弁（83a,83b）が第１状態に設定され、調湿用膨張弁（84a,84b）の開度が適宜調節される。そして、第１動作中の調湿用回路（80a,80b）では、第１吸着熱交換器（81a,81b）が凝縮器として動作し、第２吸着熱交換器（82a,82b）が蒸発器として動作する。第１吸着熱交換器（81a,81b）では、その表面に担持された吸着剤が冷媒によって加熱される。第２吸着熱交換器（82a,82b）では、その表面に担持された吸着剤が冷媒によって冷却される。第１動作中の調湿用回路（80a,80b）における冷媒の流れは、除湿運転の第１動作中の調湿用回路（80a,80b）における冷媒の流れと同じである。
【００６９】
また、図３(Ａ)に示すように、第１動作中の調湿ユニット（52a,52b）では、室外空気が第１吸着熱交換器（81a,81b）へ送られ、室内空気が第２吸着熱交換器（82a,82b）へ送られる。第１吸着熱交換器（81a,81b）では、加熱された吸着剤から脱離した水分が室外空気に付与される。第１吸着熱交換器（81a,81b）を通過する際に加湿された室外空気は、給気ファン（53a,53b）に吸い込まれ、その後に室内へ供給される。一方、第２吸着熱交換器（82a,82b）では、室内空気中の水分が吸着剤に吸着され、その際に生じた吸着熱が冷媒に吸熱される。第２吸着熱交換器（82a,82b）を通過する際に除湿された室内空気は、排気ファン（54a,54b）に吸い込まれ、その後に室外へ排出される。
【００７０】
図３(Ｂ)に示すように、第２動作中の調湿ユニット（52a,52b）では、四方切換弁（83a,83b）が第２状態に設定され、調湿用膨張弁（84a,84b）の開度が適宜調節される。そして、第２動作中の調湿用回路（80a,80b）では、第２吸着熱交換器（82a,82b）が凝縮器として動作し、第１吸着熱交換器（81a,81b）が蒸発器として動作する。第２吸着熱交換器（82a,82b）では、その表面に担持された吸着剤が冷媒によって加熱される。第１吸着熱交換器（81a,81b）では、その表面に担持された吸着剤が冷媒によって冷却される。第２動作中の調湿用回路（80a,80b）における冷媒の流れは、除湿運転の第２動作中の調湿用回路（80a,80b）における冷媒の流れと同じである。
【００７１】
また、図３(Ｂ)に示すように、第２動作中の調湿ユニット（52a,52b）では、室外空気が第２吸着熱交換器（82a,82b）へ送られ、室内空気が第１吸着熱交換器（81a,81b）へ送られる。第２吸着熱交換器（82a,82b）では、加熱された吸着剤から脱離した水分が室外空気に付与される。第２吸着熱交換器（82a,82b）を通過する際に加湿された室外空気は、給気ファン（53a,53b）に吸い込まれ、その後に室内へ供給される。一方、第１吸着熱交換器（81a,81b）では、室内空気中の水分が吸着剤に吸着され、その際に生じた吸着熱が冷媒に吸熱される。第１吸着熱交換器（81a,81b）を通過する際に除湿された室内空気は、排気ファン（54a,54b）に吸い込まれ、その後に室外へ排出される。
【００７２】
〈空調システム全体の運転動作〉
上述したように、本実施形態の空調システム（10）において、外気処理機（50）では除湿運転と加湿運転が切り換え可能となり、空調機（20）では冷房運転と暖房運転が切り換え可能となっている。そして、この空調システム（10）では、外気処理機（50）が除湿運転を行い且つ空調機（20）が冷房運転を行う除湿冷房運転と、外気処理機（50）が加湿運転を行い且つ空調機（20）が冷房運転を行う加湿冷房運転と、外気処理機（50）が除湿運転を行い且つ空調機（20）が暖房運転を行う除湿暖房運転と、外気処理機（50）が加湿運転を行い且つ空調機（20）が暖房運転を行う加湿暖房運転とが実行可能となっている。
【００７３】
空調システム（10）が加湿冷房運転を行う場合は、図４に示すように、切換ダンパユニット（18）が加湿冷房用状態に設定される。加湿冷房用状態に設定された切換ダンパユニット（18）では、接続ダクト（14）が排気ダクト（15）と吸込ダクト（16）の両方に連通し、且つ第２内気ダクト（12b）の出口端が閉塞される。
【００７４】
この状態において、調湿ユニット（52a,52b）は、外気ダクト（11）から吸い込んだ室外空気を凝縮器として動作している吸着熱交換器（81a,81b,…）へ供給し、この吸着熱交換器（81a,81b,…）を通過する際に加湿された室外空気を給気ダクト（13）へ送り出す。また、調湿ユニット（52a,52b）は、第１内気ダクト（12a）から吸い込んだ室内空気を蒸発器として動作している吸着熱交換器（81a,81b,…）へ供給し、この吸着熱交換器（81a,81b,…）を通過する際に除湿された室内空気を接続ダクト（14）へ送り出す。接続ダクト（14）から切換ダンパユニット（18）へ流入した除湿後の室内空気は、その一部が排気ダクト（15）を通って屋外へ排出され、残りが吸込ダクト（16）を通って室内ユニット（22a〜22d）へ供給される。室内ユニット（22a〜22d）は、吸込ダクト（16）から吸い込んだ除湿後の室内空気を蒸発器として動作している室内熱交換器（36a〜36d）へ供給し、この室内熱交換器（36a〜36d）を通過する際に冷却された室内空気を吹出ダクト（17）へ送り出す。
【００７５】
このように、加湿冷房運転中の空調システム（10）において、調湿ユニット（52a,52b）は、加湿した室外空気を室内へ供給する一方、室内ユニット（22a〜22d）は、調湿ユニット（52a,52b）において予め除湿された室内空気を冷却してから室内へ送り返す。そして、冷房運転中の室内ユニット（22a〜22d）では、調湿ユニット（52a,52b）で除湿されて露点温度の低下した室内空気が蒸発器として動作する室内熱交換器（36a〜36d）へ供給されるため、室内空間から吸い込んだ室内空気がそのまま室内熱交換器（36a〜36d）へ供給される場合に比べ、室内熱交換器（36a〜36d）において生成するドレン水の量が減少する。
【００７６】
空調システム（10）の加湿冷房運転中において、各調湿ユニット（52a,52b）では、給気ファン（53a,53b）及び排気ファン（54a,54b）の回転速度を調節することによって、第１内気ダクト（12a）から調湿ユニット（52a,52b）へ吸い込まれる室内空気の流量が、外気ダクト（11）から調湿ユニット（52a,52b）へ吸い込まれる室外空気の流量よりも大きな値に設定される。更に、空調システム（10）の加湿冷房運転中において、切換ダンパユニット（18）では、排気ダクト（15）へ流入する空気の流量が外気ダクト（11）から調湿ユニット（52a,52b）へ吸い込まれる室外空気の流量と等しくなるように、排気ダクト（15）と吸込ダクト（16）への空気の分配割合が設定される。
【００７７】
このように、加湿冷房運転中の空調システム（10）では、第１内気ダクト（12a）から接続ダクト（14）へ向かって調湿ユニット（52a,52b）を通過する室内空気の流量Ｑraが、外気ダクト（11）から給気ダクト（13）へ向かって調湿ユニット（52a,52b）を通過する室外空気の流量Ｑoaよりも大きな値に設定される（Ｑra＞Ｑoa）。また、加湿冷房運転中の空調システム（10）では、接続ダクト（14）から切換ダンパユニット（18）へ流入する室内空気のうち排気ダクト（15）を通って屋外へ排出されるものの流量Ｑeaが、外気ダクト（11）と調湿ユニット（52a,52b）と給気ダクト（13）を順に通って室内へ供給される室外空気の流量Ｑoaと同じ値に設定される（Ｑea＝Ｑoa）。そして、吸込ダクト（16）から室内ユニット（22a〜22d）へ供給される室内空気の流量Ｑacは、接続ダクト（14）から切換ダンパユニット（18）へ流入する室内空気の流量Ｑraから排気ダクト（15）へ流入する室内空気の流量Ｑeaを差し引いた値となる（Ｑac＝Ｑra−Ｑea）。
【００７８】
空調システム（10）が加湿冷房運転以外の運転を行う場合は、図５に示すように、切換ダンパユニット（18）が通常状態に設定される。通常状態に設定された切換ダンパユニット（18）では、接続ダクト（14）が排気ダクト（15）だけに連通し、且つ吸込ダクト（16）が第２内気ダクト（12b）だけに連通する。
【００７９】
この状態において、調湿ユニット（52a,52b）は、外気ダクト（11）から吸い込んだ室外空気を吸着熱交換器（81a,81b,…）へ供給し、吸着熱交換器（81a,81b,…）を通過した室外空気を給気ダクト（13）へ送り出す。また、調湿ユニット（52a,52b）は、第１内気ダクト（12a）から吸い込んだ室内空気を吸着熱交換器（81a,81b,…）へ供給し、吸着熱交換器（81a,81b,…）を通過した室内空気を接続ダクト（14）へ送り出す。調湿ユニット（52a,52b）から接続ダクト（14）へ送り出された室内空気は、その全量が切換ダンパユニット（18）を通過後に排気ダクト（15）へ流入して屋外へ排出される。更に、各調湿ユニット（52a,52b）では、給気ファン（53a,53b）及び排気ファン（54a,54b）の回転速度を調節することによって、第１内気ダクト（12a）から調湿ユニット（52a,52b）へ吸い込まれる室内空気の流量Ｑraが、外気ダクト（11）から調湿ユニット（52a,52b）へ吸い込まれる室外空気の流量Ｑoaと同じ値に設定される。
【００８０】
一方、この状態において、室内ユニット（22a〜22d）は、第２内気ダクト（12b）と切換ダンパユニット（18）と吸込ダクト（16）を順に通過した室内空気を吸い込んで室内熱交換器（36a〜36d）へ供給し、室内熱交換器（36a〜36d）を通過した空気を吹出ダクト（17）へ送り出す。
【００８１】
〈制御システムの動作〉
空調側コントローラ（91）と調湿側コントローラ（92a,92b）とによって構成された制御システム（90）の動作について説明する。
【００８２】
空調側コントローラ（91）は、空調用冷媒回路（30）に設けられた四方切換弁（43）や室外膨張弁（45）に対する制御動作や、室外ファン（23）等に対する制御動作を行う。各調湿ユニット（52a,52b）に設けられた調湿側コントローラ（92a,92b）は、調湿用回路（80a,80b）に設けられた四方切換弁（83a,83b）や調湿用膨張弁（84a,84b）に対する制御動作を行う。
【００８３】
また、上述したように、制御システム（90）は、空調機（20）が冷房運転を行って外気処理機（50）が加湿運転を行う空調システム（10）の加湿冷房運転中において、所定の制御動作を行う。以下では、空調システム（10）の加湿冷房運転中に制御システム（90）が行う制御動作について説明する。
【００８４】
空調システム（10）の加湿冷房運転中において、制御システム（90）は、第１制御動作と第２制御動作の何れか一方を選択して実行する。
【００８５】
具体的に、制御システム（90）は、“調湿ユニット（52a,52b）から室内ユニット（22a〜22d）へ送られる空気の露点温度が室内熱交換器（36a〜36d）における冷媒の蒸発温度よりも低くなるように、調湿用圧縮機（71）の運転周波数を調節する動作”を、第１制御動作として行う。“第１動作中に調湿用圧縮機（71）の運転周波数を最大に設定しても、調湿ユニット（52a,52b）から室内ユニット（22a〜22d）へ送られる空気の露点温度が、室内熱交換器（36a〜36d）における冷媒の蒸発温度を下回らない場合”は、制御システム（90）が第１制御動作を停止して第２制御動作を開始する。
【００８６】
制御システム（90）は、“室内熱交換器（36a〜36d）における冷媒の蒸発温度が、調湿ユニット（52a,52b）から室内ユニット（22a〜22d）へ送られる空気の露点温度よりも高くなるように、空調用圧縮機（41）の運転周波数を調節する動作”を、第２制御動作として行う。この第２制御動作中において、制御システム（90）は、調湿用圧縮機（71）の運転周波数を最大に保持する。
【００８７】
=== 第１制御動作 ===
制御システム（90）が行う第１制御動作について、詳細に説明する。第１制御動作は、“第１〜第４サブ動作を順に行う動作を一連の制御動作とし、この一連の制御動作を所定の時間が経過する毎（例えば、１２分毎）に繰り返し行う動作”である。なお、制御システム（90）において、第１〜第４サブ動作から成る制御動作の時間間隔は、各調湿ユニット（52a,52b）における第１動作と第２動作の切り換え時間間隔よりも長い値に設定されている。以下では、第１制御動作中に制御システム（90）が行う第１〜第４サブ動作のそれぞれについて、詳細に説明する。
【００８８】
第１サブ動作では、第１調湿ユニット（52a）に設けられた調湿側コントローラ（92a）が、第１調湿ユニット（52a）に設けられた室内温度センサ（55a）、室内湿度センサ（56a）、室外温度センサ（57a）、及び室外湿度センサ（58a）の計測値と、空調用冷媒回路（30）に設けられた低圧センサ（27）の計測値とを取得する。
【００８９】
第２サブ動作では、調湿側コントローラ（92a）が次のような動作を行う。つまり、第２サブ動作中において、調湿側コントローラ（92a）は、第１サブ動作において取得した室内温度センサ（55a）、室内湿度センサ（56a）、室外温度センサ（57a）、及び室外湿度センサ（58a）の計測値に基づいて、第１調湿ユニット（52a）から接続ダクト（14）へ吹き出される空気（即ち、除湿後の室内空気）の露点温度Ｔdpを算出する。
【００９０】
具体的に、調湿側コントローラ（92a）は、室内空気の温度および相対湿度と室外空気の温度および相対湿度とで決まる複数の運転条件のそれぞれにおいて第１調湿ユニット（52a）が発揮する除湿能力を、能力特性データとして予め記憶している。第２サブ動作中の調湿側コントローラ（92a）は、予め記憶する能力特性データと、室内温度センサ（55a）、室内湿度センサ（56a）、室外温度センサ（57a）、及び室外湿度センサ（58a）の計測値とを用いて、第１調湿ユニット（52a）において除湿された室内空気の状態（例えば、その温度と絶対湿度）を推定する。そして、調湿側コントローラ（92a）は、推定した除湿後の室内空気の状態に基づき、その室内空気の露点温度Ｔdpを算出する。
【００９１】
第３サブ動作では、調湿側コントローラ（92a）が次のような動作を行う。つまり、第３サブ動作中において、調湿側コントローラ（92a）は、「第１調湿ユニット（52a）から接続ダクト（14）へ吹き出される空気（即ち、除湿後の室内空気）の露点温度Ｔdp」を「室内熱交換器（36a〜36d）における冷媒の蒸発温度Ｔe」よりも低くするために第１調湿ユニット（52a）が発揮すべき除湿能力を算出する。
【００９２】
具体的に、調湿側コントローラ（92a）は、低圧センサ（27）の計測値における冷媒の飽和温度を算出し、この算出値を室内熱交換器（36a〜36d）における冷媒の蒸発温度Ｔeとする。そして、調湿側コントローラ（92a）は、「第１調湿ユニット（52a）において除湿された室内空気の露点温度Ｔdp」を「室内熱交換器（36a〜36d）における冷媒の蒸発温度Ｔe」よりも低くするために第１調湿ユニット（52a）が発揮すべき除湿能力（目標能力）を、予め記憶する能力特性データに基づいて算出する。
【００９３】
第４サブ動作では、調湿側コントローラ（92a）が次のような動作を行う。つまり、第４サブ動作中において、調湿側コントローラ（92a）は、第３サブ動作で算出した目標能力を第１調湿ユニット（52a）が発揮するときの調湿用圧縮機（71）の運転周波数を算出し、その算出した値を目標運転周波数に設定する。そして、調湿側コントローラ（92a）は、インバータから調湿用圧縮機（71）へ供給される交流の周波数が目標運転周波数となるように、インバータに対して出力周波数を指令する。
【００９４】
=== 第２制御動作 ===
制御システム（90）が行う第２制御動作について、詳細に説明する。第２制御動作は、“第５〜第８サブ動作を順に行う動作を一連の制御動作とし、この一連の制御動作を所定の時間が経過する毎（例えば、１２分毎）に繰り返し行う動作”である。なお、制御システム（90）において、第５〜第８サブ動作から成る制御動作の時間間隔は、各調湿ユニット（52a,52b）における第１動作と第２動作の切り換え時間間隔よりも長い値に設定されている。以下では、第２制御動作中に制御システム（90）が行う第５〜第８サブ動作のそれぞれについて、詳細に説明する。
【００９５】
第５サブ動作では、第１調湿ユニット（52a）に設けられた調湿側コントローラ（92a）が、第１調湿ユニット（52a）に設けられた室内温度センサ（55a）、室内湿度センサ（56a）、室外温度センサ（57a）、及び室外湿度センサ（58a）の計測値を取得する。
【００９６】
第６サブ動作は、第１制御動作を構成する第２サブ動作と同じである。つまり、第６サブ動作において、調湿側コントローラ（92a）は、第５サブ動作において取得した室内温度センサ（55a）、室内湿度センサ（56a）、室外温度センサ（57a）、及び室外湿度センサ（58a）の計測値に基づいて、第１調湿ユニット（52a）から接続ダクト（14）へ吹き出される空気（即ち、除湿後の室内空気）の露点温度Ｔdpを算出する。
【００９７】
第７サブ動作では、調湿側コントローラ（92a）が次のような動作を行う。つまり、第７サブ動作中において、調湿側コントローラ（92a）は、「室内熱交換器（36a〜36d）における冷媒の蒸発温度の目標値Ｔe_set」を、「第６サブ動作において算出した除湿後の室内空気の露点温度Ｔdp」よりも高い値に設定する（Ｔe_set＞Ｔdp）。そして、調湿側コントローラ（92a）は、設定した「冷媒の蒸発温度の目標値Ｔe_set」を、空調側コントローラ（91）へ送信する。
【００９８】
第８サブ動作では、空調側コントローラ（91）が次のような動作を行う。つまり、第８サブ動作中において、空調側コントローラ（91）は、室内熱交換器（36a〜36d）における冷媒の蒸発温度Ｔeがその目標値Ｔe_setとなるように、空調用圧縮機（41）の運転周波数を調節する。
【００９９】
具体的に、空調側コントローラ（91）は、低圧センサ（27）の計測値を取得し、低圧センサ（27）の計測値における冷媒の飽和温度を算出し、この算出値を室内熱交換器（36a〜36d）における冷媒の蒸発温度Ｔeとする。そして、空調側コントローラ（91）は、算出した冷媒の蒸発温度Ｔeがその目標値Ｔe_setとなるように、空調用圧縮機（41）の運転周波数（即ち、インバータから空調用圧縮機（41）へ供給される交流の周波数）を調節する。
【０１００】
−実施形態の効果−
本実施形態の空調システム（10）では、その加湿冷房運転中において、調湿ユニット（52a,52b）において除湿された室内空気の一部が室内ユニット（22a〜22d）へ送られ、調湿ユニット（52a,52b）から供給された除湿後の空気を室内ユニット（22a〜22d）が冷却して室内へ供給する。このため、本実施形態の空調システム（10）では、その加湿冷房運転中において、室内ユニット（22a〜22d）の室内熱交換器（36a〜36d）において空気を冷却する際に生成する凝縮水の量を、室内空間に存在する空気をそのまま室内熱交換器（36a〜36d）へ供給する場合に比べて削減できる。また、加湿運転中の調湿ユニット（52a,52b）において、吸着熱交換器（81a,81b,…）の吸着剤に吸着された室内空気中の水分は、室外空気に付与されて室内へ送り返される。
【０１０１】
このように、加湿冷房運転中の空調システム（10）では、冷房運転中の室内ユニット（22a〜22d）において室内空気からドレン水として取り除かれる水分の量が減少すると共に、加湿運転中の調湿ユニット（52a,52b）において室内空気から取り除かれた水分が室外空気と共に室内へ送り返される。従って、本実施形態によれば、空調システム（10）の加湿冷房運転中において、冷房運転中の室内ユニット（22a〜22d）において室内空気から取り除かれる水分の量を削減することができ、室内空間に存在する空気の湿度を充分に上昇させることが可能となる。
【０１０２】
また、本実施形態によれば、空調システム（10）の加湿冷房運転中において、調湿ユニット（52a,52b）において除湿された室内空気の一部を室内ユニット（22a〜22d）へ供給しつつ、調湿ユニット（52a,52b）から給気ダクト（13）を通って室内へ供給される室外空気の流量と、調湿ユニット（52a,52b）から排気ダクト（15）を通って室外へ排出される室内空気の流量とを一致させることができる。従って、本実施形態によれば、空調システム（10）の加湿冷房運転中に調湿ユニット（52a,52b）において除湿された室内空気の一部を室内ユニット（22a〜22d）へ供給しつつ、室内への給気量と室内からの排気量とを一致させて室内の気圧を実質的に大気圧に保つことができる。
【０１０３】
また、本実施形態の制御システム（90）は、空調システム（10）の加湿冷房運転中において、室内熱交換器（36a〜36d）でドレン水が生じないように調湿用圧縮機（71）の運転周波数を調節する第１制御動作と、室内熱交換器（36a〜36d）でドレン水が生じないように空調用圧縮機（41）の運転周波数を調節する第２制御動作との何れか一方を選択して実行する。その結果、空調システム（10）の加湿冷房運転中には、室内熱交換器（36a〜36d）における冷媒の蒸発温度Ｔeが、調湿ユニット（52a,52b）から室内ユニット（22a〜22d）へ送られる空気の露点温度Ｔdpよりも高い値に保たれる。従って、本実施形態によれば、空調システム（10）の加湿冷房運転中に冷房運転を行う室内ユニット（22a〜22d）において、調湿ユニット（52a,52b）から供給された室内空気を冷却する際に室内空気中の水分が凝縮するのを防ぐことができる。
【０１０４】
−実施形態の変形例１−
本実施形態の制御システム（90）は、空調システム（10）の加湿冷房運転中において、「室内熱交換器（36a〜36d）でドレン水が生じないように調湿用圧縮機（71）の運転周波数を調節する第１制御動作」と「室内熱交換器（36a〜36d）でドレン水が生じないように空調用圧縮機（41）の運転周波数を調節する第２制御動作」の何れか一方だけを実行するように構成されていてもよい。なお、制御システム（90）が第２制御動作だけを行う場合において、調湿用圧縮機（71）の運転周波数は、第２制御動作中においても運転状態に応じて調節される。
【０１０５】
−実施形態の変形例２−
本実施形態の空調システム（10）には、調湿ユニット（52a,52b）から接続ダクト（14）へ吹き出される空気の温度と相対湿度を計測するためのセンサが更に設けられていてもよい。
【０１０６】
空調システム（10）の加湿冷房運転中において、この追加されたセンサは、調湿ユニット（52a,52b）において除湿された室内空気の温度と相対湿度を計測する。このセンサにおいて得られた計測値は、調湿側コントローラ（92a）へ入力され、第１制御動作の第２サブ動作と、第２制御動作の第６サブ動作とにおいて用いられる。
【０１０７】
上述したように、第２サブ動作と第６サブ動作は全く同じ動作である。第２サブ動作および第６サブ動作において、調湿側コントローラ（92a）は、この追加されたセンサの計測値（即ち、調湿ユニット（52a,52b）において除湿された室内空気の温度および相対湿度の実測値）を用いて、調湿ユニット（52a,52b）から接続ダクト（14）へ吹き出される空気の露点温度Ｔdpを算出する。
【０１０８】
−実施形態の変形例３−
図６に示すように、上記の実施形態では、各調湿ユニット（52a,52b）に調湿用圧縮機（71a,71b）が一台ずつ搭載されていてもよい。図６に示す空調システム（10）では、外気処理機（50）が二台の調湿ユニット（52a,52b）だけによって構成される。各調湿ユニット（52b）の調湿用回路（80a,80b）において、調湿用圧縮機（71a,71b）は、その吐出側が四方切換弁（83a,83b）の第１のポートに接続され、その吸入側がアキュームレータ（72a,72b）を介して四方切換弁（83a,83b）の第２のポートに接続される。
【０１０９】
なお、以上の実施形態は、本質的に好ましい例示であって、本発明、その適用物、あるいはその用途の範囲を制限することを意図するものではない。
【産業上の利用可能性】
【０１１０】
以上説明したように、本発明は、冷房運転を行う空調機と加湿運転を行う外気処理機とを備えた空調システムについて有用である。
【図面の簡単な説明】
【０１１１】
【図１】実施形態の空調システムの概略構成を示す冷媒回路図である。
【図２】除湿運転中の状態を示す調湿ユニットの概略構成図であって、(Ａ)は第１動作中の状態を示すものであり、(Ｂ)は第２動作中の状態を示すものである。
【図３】加湿運転中の状態を示す調湿ユニットの概略構成図であって、(Ａ)は第１動作中の状態を示すものであり、(Ｂ)は第２動作中の状態を示すものである。
【図４】実施形態の空調システムの建物における設置状態と、加湿暖房運転を実行中の空調システムの状態を示す概略構成図である。
【図５】実施形態の空調システムの建物における設置状態と、加湿暖房運転以外の運転を実行中の空調システムの状態を示す概略構成図である。
【図６】実施形態の変形例３の空調システムの概略構成を示す冷媒回路図である。
【符号の説明】
【０１１２】
10    空調システム
20    空調機（空気調和装置）
30    空調用冷媒回路（冷媒回路）
50    外気処理機（外気処理装置）
90    制御システム（制御手段）
【図１】
2010127522.tif 000003
【図２】
2010127522.tif 000004
【図３】
2010127522.tif 000005
【図４】
2010127522.tif 000006
【図５】
2010127522.tif 000007
【図６】
2010127522.tif 000008